(57)【要約】【課題】  情報管理における利便性を向上する。【解決手段】  互いに異なる種別の情報を体系化して記憶部１１で管理する情報管理装置１０において、各種別を体系化して管理するための各ディレクトリを、それぞれ互いに対応付けたディレクトリ管理テーブルを生成して管理する管理テーブル管理部１２と、検索用のディレクトリに対応付けられている被検索ディレクトリを管理テーブルを参照して取得する被検索ディレクトリ取得部１３と、取得した被検索ディレクトリにより管理される情報を記憶部から取得する情報取得部１４とを備える。【選択図】        図１
2007025872.tif 000002
【特許請求の範囲】
【請求項１】
互いに異なる種別の情報を体系化して記憶部で管理する情報管理方法において、
各種別を体系化して管理するための各ディレクトリを、それぞれ互いに対応付けたディレクトリ管理テーブルを生成すること、
検索用のディレクトリに対応付けられている被検索ディレクトリを前記管理テーブルを参照して取得すること、
取得した被検索ディレクトリにより管理される情報を記憶部から取得することを特徴とする情報管理方法。
【請求項２】
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理方法において、
前記プレゼンス情報を体系化して管理するためのプレゼンスディレクトリと、各種別を体系化して管理するための各ディレクトリとを、それぞれ互いに対応付けた管理テーブルを生成すること、
検索用のディレクトリに対応付けられているプレゼンスディレクトリを前記管理テーブルを参照して取得すること、
取得したプレゼンスディレクトリにより管理されるプレゼンス情報をプレゼンス情報記憶部から取得することを特徴とする情報管理方法。
【請求項３】
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理方法において、
前記プレゼンス情報を体系化して管理するためのプレゼンスディレクトリと、各種別を体系化して管理するための各ディレクトリとを、それぞれ互いに対応付けた管理テーブルを生成すること、
検索用のプレゼンスディレクトリに対応付けられている被検索ディレクトリを前記管理テーブルを参照して取得すること、
取得した被検索ディレクトリにより管理される情報を記憶部から取得することを特徴とする情報管理方法。
【請求項４】
互いに異なる種別の情報を体系化して記憶部で管理する情報管理装置において、
各種別を体系化して管理するための各ディレクトリを、それぞれ互いに対応付けたディレクトリ管理テーブルを生成して管理する管理テーブル管理部と、
検索用のディレクトリに対応付けられている被検索ディレクトリを前記管理テーブルを参照して取得する被検索ディレクトリ取得部と、
取得した被検索ディレクトリにより管理される情報を記憶部から取得する情報取得部とを備えることを特徴とする情報管理装置。
【請求項５】
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理装置において、
前記プレゼンス情報を体系化して管理するためのプレゼンスディレクトリと、各種別を体系化して管理するための各ディレクトリとを、それぞれ互いに対応付けた管理テーブルを生成して管理する管理テーブル管理部と、
検索用のディレクトリに対応付けられている被検索プレゼンスディレクトリを前記管理テーブルを参照して取得する被検索プレゼンスディレクトリ取得部と、
取得した被検索プレゼンスディレクトリにより管理されるプレゼンス情報をプレゼンス情報記憶部から取得するプレゼンス情報取得部と、を備えることを特徴とする情報管理装置。
【請求項６】
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理装置において、
前記プレゼンス情報を体系化して管理するためのプレゼンスディレクトリと、各種別を体系化して管理するための各ディレクトリとを、それぞれ互いに対応付けた管理テーブルを生成して管理する管理テーブル管理部と、
検索用のプレゼンスディレクトリに対応付けられている被検索ディレクトリを前記管理テーブルを参照して取得する被検索ディレクトリ取得部と、
取得した被検索ディレクトリにより管理される情報を記憶部から取得する情報取得部と、を備える特徴とする情報管理装置。
【発明の詳細な説明】
【技術分野】
【０００１】
本発明は、互いに異なる種別の情報を体系化して管理する情報管理方法および情報管理装置に関するものである。
【背景技術】
【０００２】
例えば社員情報として、社員の詳細な情報や、電話番号情報、電子メールアドレス情報など、互いに種別が異なる情報が記憶部でそれぞれ個別に管理されている。つまり各情報は、その種別に応じて体系化されて管理されており、各種別を体系化して管理するために、記憶部において階層構造化が図られている。
【０００３】
ところで、記憶部における階層構造化はディレクトリにより管理されており、ディレクトリは記憶部における保管場所を示している。換言すると、ディレクトリは階層構造化された各種別を特定するための情報、つまり階層化構造における系統を示しており、ディレクトリに基づいて、記憶部における階層構造化された種別の位置を特定することができる。ディレクトリにより、種別に応じて特定されるそれぞれの位置に、例えば詳細情報、電話番号情報、電子メールアドレス情報などの情報（リーフ）が保持される。
【０００４】
ところで、種別毎に管理される情報を一元的に管理することが行われており、例えば新たなディレクトリを設け、設けたディレクトリで情報を一元的に管理する。具体的には、種別毎に管理される各情報を、例えば社員名に基づいて集約し、集約した情報を新たに設けたディレクトリで管理する。これにより、新たに設けたディレクトリにより、社員名に基づいて集約した各種別における各情報を、一元的に管理することができる。
【０００５】
また、前記した新たなディレクトリを設けて一元的に情報を管理する方法以外に、特許文献１に開示されているように、メタディレクトリにより情報を管理する方法がある。メタディレクトリによる情報管理は、例えば社員を識別するためのＩＤ情報を種別毎に管理されている各情報に対応付け、対応付けた各ＩＤ情報を管理するためのディレクトリを新たに設け、新たに設けたディレクトリで管理するＩＤ情報により、各種別の情報を一元的に管理する。
【特許文献１】特開２００４−５４４３３号公報
【発明の開示】
【発明が解決しようとする課題】
【０００６】
ところで、前記した社員名に基づいて情報を集約し、これを新たに設けたディレクトリで一元的に管理する情報管理方法では、各種別の情報を集約管理することから、各種別毎の各情報を保持する記憶容量と同容量の記憶容量が必要となり、これが問題となっていた。
【０００７】
また、メタディレクトリにより、各種別の情報を一元的に管理する方法では、例えばあるＩＤ情報に基づいて、異なる種別の情報を管理するための各ディレクトリを直接的に特定することが出来なかった。すなわち、例えば電話番号が示された電話番号情報および電子メールアドレスが示された電子メールアドレス情報が記憶部でそれぞれ階層構造化されて保持されており、これら種別の異なる情報が各ディレクトリにより管理されているとき、電子メールアドレス情報を管理するディレクトリをある手順に従って特定した後、特定した電子メールアドレス情報を管理するためのディレクトリに基づいて、種別の異なる電話番号情報を管理するためのディレクトリを直接的に特定することができず、電子メールアドレス情報を管理するためのディレクトリと同様の手順をわざわざ行って、電話番号情報を管理するためのディレクトリを特定しなければならず、これが問題となっていた。
【０００８】
上記したように、従来の情報管理では、多くの記憶容量が必要であったり、互いに種別の異なるディレクトリを容易に特定することができなかったり、いわゆる情報管理における利便性が低く、これが問題となっていた。
従って、本発明の目的は、利便性の向上が図られた情報管理方法および情報管理装置を提供することにある。
【課題を解決するための手段】
【０００９】
本発明は、以上の点を解決するために、次の構成を採用する。
〈構成１〉
互いに異なる種別の情報を体系化して記憶部で管理する情報管理方法において、各種別を体系化して管理するための各ディレクトリを、それぞれ互いに対応付けたディレクトリ管理テーブルを生成すること、検索用のディレクトリに対応付けられている被検索ディレクトリを前記管理テーブルを参照して取得すること、取得した被検索ディレクトリにより管理される情報を記憶部から取得することを特徴とする。
【００１０】
〈構成２〉
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理方法において、プレゼンス情報を体系化して管理するためのプレゼンスディレクトリと、各種別を体系化して管理するための各ディレクトリとを、それぞれ互いに対応付けた管理テーブルを生成すること、検索用のディレクトリに対応付けられているプレゼンスディレクトリを前記管理テーブルを参照して取得すること、取得したプレゼンスディレクトリにより管理されるプレゼンス情報をプレゼンス情報記憶部から取得することを特徴とする。
【００１１】
〈構成３〉
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理方法において、プレゼンス情報を体系化して管理するためのプレゼンスディレクトリと、各種別を体系化して管理するための各ディレクトリとを、それぞれ互いに対応付けた管理テーブルを生成すること、検索用のプレゼンスディレクトリに対応付けられている被検索ディレクトリを管理テーブルを参照して取得すること、取得した被検索ディレクトリにより管理される情報を記憶部から取得することを特徴とする。
【００１２】
〈構成４〉
互いに異なる種別の情報を体系化して記憶部で管理する情報管理装置において、各種別を体系化して管理するための各ディレクトリを、それぞれ互いに対応付けたディレクトリ管理テーブルを生成して管理する管理テーブル管理部と、検索用のディレクトリに対応付けられている被検索ディレクトリを管理テーブルを参照して取得する被検索ディレクトリ取得部と、取得した被検索ディレクトリにより管理される情報を記憶部から取得する情報取得部とを備えることを特徴とする。
【００１３】
〈構成５〉
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理装置において、プレゼンス情報を体系化して管理するためのプレゼンスディレクトリと、各種別を体系化して管理するための各ディレクトリとを、それぞれ互いに対応付けた管理テーブルを生成して管理する管理テーブル管理部と、検索用のディレクトリに対応付けられている被検索プレゼンスディレクトリを管理テーブルを参照して取得する被検索プレゼンスディレクトリ取得部と、取得した被検索プレゼンスディレクトリにより管理されるプレゼンス情報をプレゼンス情報記憶部から取得するプレゼンス情報取得部と、を備えることを特徴とする。
【００１４】
〈構成６〉
互いに異なる種別の情報を体系化して記憶部で管理しており、該記憶部で管理する情報に対応付けられた利用者のネットワーク参加状態を示すプレゼンス情報を体系化してプレゼンス情報記憶部で管理する情報管理装置において、プレゼンス情報を体系化して管理するためのプレゼンスディレクトリと、各種別を体系化して管理するための各ディレクトリとを、それぞれ互いに対応付けた管理テーブルを生成して管理する管理テーブル管理部と、検索用のプレゼンスディレクトリに対応付けられている被検索ディレクトリを管理テーブルを参照して取得する被検索ディレクトリ取得部と、取得した被検索ディレクトリにより管理される情報を記憶部から取得する情報取得部と、を備える特徴とする。
【発明の効果】
【００１５】
本発明によれば、互いに異なる種別を体系化して管理するための各ディレクトリを、それぞれ互いに対応付けた管理テーブルを生成して管理することにより、ある種別のディレクトリに基づいて管理テーブルを参照して、他の種別のディレクトリを取得することができ、わざわざ種別毎にディレクトリを特定する必要がない。また、本発明によれば、管理テーブルを保持するだけの記憶容量があればよいことから、集約した情報を保持するための多くの記憶容量を必要としない。上記したように、本発明によれば、情報管理の利便性を向上することができる。
【００１６】
更に、本発明によれば、ネットワーク参加状態を示すプレゼンス情報と、各種別を体系化して管理するための各ディレクトリとを対応付けた管理テーブルを生成することにより、検索用のディレクトリに対応付けられているプレゼンス情報を前記管理テーブルを参照して取得することができ、取得したプレゼンス情報に基づいてネットワーク参加状態を容易に知ることができ、情報管理における利便性を向上することができる。
【００１７】
更に、本発明によれば、ネットワーク参加状態を示すプレゼンス情報と、各種別を体系化して管理するための各ディレクトリとを対応付けた管理テーブルを生成することにより、検索用のプレゼンスディレクトリに対応付けられているディレクトリを前記管理テーブルを参照して取得することができ、わざわざ種別毎にディレクトリを特定する必要がなく、情報管理における利便性を向上することができる。
【発明を実施するための最良の形態】
【００１８】
以下、本発明の実施形態について、図を用いて詳細に説明する。以下の説明では、各実施の形態に用いる図面について同一の構成要素は同一の符号を付し、かつ重複する説明は可能な限り省略する。
【実施例１】
【００１９】
本発明の情報管理装置１０は、図１に示すように、情報を種別に応じて体系化して保持する記憶部１１と、体系化して管理するための各ディレクトリを、それぞれ互いに対応付けた管理テーブルを生成し、該管理テーブルを管理する管理テーブル管理部１２と、入力される検索ディレクトリに基づいて管理テーブルを参照し、当該検索ディレクトリに対応付けられているディレクトリを被検索ディレクトリとして取得する被検索ディレクトリ取得部１３と、取得した被検索ディレクトリにより特定される種別の情報を記憶部１１を検索して取得する情報取得部１４とを備える。
【００２０】
記憶部１１は、図２に示すように、社員情報を保持しており、具体的には、役職や所属などが示された詳細情報、社内の内線番号を示す電話番号情報および電子メールアドレス情報などの各情報を、その種別毎に体系化して保持しており、体系化して管理するために階層構造化が図られている。
【００２１】
記憶部１１における階層構造化はディレクトリと称される情報により管理されている。
ところで、ディレクトリは、図示しないオペレーティングシステム（以降、ＯＳと略称する）により保持管理されており、ＯＳにより管理されるディレクトリは、記憶部１１において階層構造化された一つの階層（記憶部１１における階層位置）を示しており、より詳細には階層構造化における系統を示している。階層構造化の系統は、例えばＭＳ−ＤＯＳ（登録商標）における「パス」又は「フルパス」と称されている情報であり、階層構造化の系統を辿ることで、記憶部１１において階層構造化管理されている情報（種別）の位置（保持アドレス）を特定することができる。
【００２２】
ここで、階層構造化の系統を示すフルパスを具体的に説明する。
例えば、図３に示すように、最上層下に社員情報を管理するための「ｓｙａｉｎ」種別および顧客情報を管理するための「ｋｏｋｙａｋｕ」種別があり、前記各種別においてそれぞれ詳細情報を管理する「ｄｅｔａｉｌ」種別、電話番号を管理する「ｔｅｌ」種別および電子メールアドレスを管理する「ｍａｉｌ」種別があり、階層構造化における系統を示すフルパスが「￥ｓｙａｉｎ￥ｔｅｌ￥ｆｉｌｅ１」であるとき、当該フルパスは、記憶部１１において「社員情報種別の電話情報種別において管理される「ｆｉｌｅ１」と称される情報」の位置（保持アドレス）を示している。
【００２３】
尚、記憶部１１において階層構造化された１階層（記憶部１１における階層位置）をディレクトリと称したり、階層構造化の系統を示す情報をディレクトリと称したり、必要に応じて適宜使い分けを行い、以降の説明を行う。
【００２４】
管理テーブル管理部１２は、管理テーブルを生成する管理テーブル生成部１２０と、管理テーブルを保持する管理テーブル保持部１２１とを備えている。
管理テーブル生成部１２０は、図４に示されているように、各種別を特定するための各ディレクトリを、それぞれ互いに対応付けた管理テーブルを生成する。
【００２５】
管理テーブル生成部１２０は、具体的には、詳細情報のディレクトリに電話番号情報のディレクトリおよび電子メールアドレスのディレクトリを対応付け、電話番号情報のディ
レクトリに詳細情報のディレクトリおよび電子メールアドレスのディレクトリを対応付け、電子メールアドレスのディレクトリに詳細情報のディレクトリおよび電話情報のディレクトリを対応付けたテーブルを管理テーブルとして生成する。
管理テーブル保持部１２１は、管理テーブル生成部１２０で生成した管理テーブルを保持する。尚、管理テーブルは、各ディレクトリをそれぞれ互いに対応付けたテーブルであることから、管理テーブル保持部１２１で保持する管理テーブルの記憶容量は各種別の情報を集約した容量より少ない。
【００２６】
被検索ディレクトリ取得部１３は、指定された検索ディレクトリに基づいて管理テーブル保持部１２１で保持する管理テーブルを参照して、検索ディレクトリに対応付けられている取得要求を受けた種別のディレクトリを被検索ディレクトリとして取得する。例えば、検索ディレクトリとして詳細情報を管理するためのディレクトリが入力され、取得要求の種別として電話番号の種別が入力されると、被検索ディレクトリ取得部１３は、詳細情報のディレクトリに基づいて管理テーブルを参照し、詳細情報に対応付けられている電話番号情報のディレクトリを被検索ディレクトリとして取得する。
【００２７】
情報取得部１４は、被検索ディレクトリ取得部１３で取得したディレクトリにより管理される情報を記憶部１１から取得する。例えば、被検索ディレクトリ取得部１３で電話番号情報のディレクトリが取得され、検索対象者名が入力されると、情報取得部１４は、電話番号ディレクトリに基づいて記憶部１１を検索し、記憶部において階層構造化管理されている電話番号情報の種別位置を特定し、当該種別において管理されている多数の電話番号情報から検索対象者名に該当する電話番号情報を取得する。
【００２８】
次に、本実施例の情報管理装置１０の動作を図５のフローチャートに沿って説明する。
尚、記憶部１１は、図２に示すように、種別毎に複数の情報を階層構造化して予め保持していることを前提に説明を行う。
【００２９】
管理テーブル管理部１２の管理テーブル生成部１２０は、ＯＳにより管理されている各ディレクトリを、それぞれ互いに対応付けた図４に示す管理テーブルを生成する（ステップＳ１）。生成した管理テーブルは、管理テーブル保持部１２１で保持される。
【００３０】
被検索ディレクトリ取得部１３は、オペレータやＯＳ上で動作する図示しないアプリケーションなどから検索ディレクトリおよび検索対象種別を受けると、検索ディレクトリに基づいて管理テーブル保持部１２１で保持する管理テーブルを参照し、検索対象種別の被検索ディレクトリを取得する（ステップＳ２）。
【００３１】
情報取得部１４は、被検索ディレクトリ取得部１３で取得した被検索ディレクトリに基づいて記憶部１１における種別の管理位置を特定し、当該種別において管理される複数の情報から、オペレータやアプリケーションから入力される社員名に基づいて、該当する情報を取得する（ステップＳ３）。
【００３２】
前記したように、実施例１の情報管理装置１０によれば、各ディレクトリをそれぞれ互いに対応付けた管理テーブルを生成して管理することにより、検索ディレクトリおよび検索対象種別に基づいて管理テーブルを参照して、該当する被検索ディレクトリを直接的に取得することができる。
また、実施例１の情報管理装置１０によれば、各ディレクトリをそれぞれ互いに対応付けた管理テーブルを保持するだけの記憶容量があればよいことから、情報そのものを集約して保持するための大容量の記憶領域を必要としない。これにより、実施例１の情報管理装置１０によれば、大容量の記憶領域を記憶部に確保しなくても、各種別の情報の一元的な管理を行うことができる。
【実施例２】
【００３３】
次に記憶部で管理する情報に対応付けられた利用者のネットワーク参加状態を示すプレゼンス情報を体系化して管理するためのプレゼンスディレクトリを、各ディレクトリに対応付けた管理テーブルを生成して管理する情報管理装置を説明する。
【００３４】
実施例２の情報管理装置２０は、図６に示すように、情報を種別に応じて体系化して保持する記憶部１１と、該記憶部１１で管理する情報に対応付けられた利用者のネットワーク参加状態を示すプレゼンス情報を体系化して管理するプレゼンス情報記憶部１５と、プレゼンス情報を体系化して管理するためのプレゼンスディレクトリと、情報を体系化して管理するためのディレクトリとを、それぞれ互いに対応付けた管理テーブルを生成し、該管理テーブルを管理する管理テーブル管理部１６と、入力される検索ディレクトリに基づいて管理テーブルを参照し、当該検索ディレクトリに対応付けられているディレクトリを被検索ディレクトリとして取得する被検索プレゼンスディレクトリ取得部１７と、取得した被検索プレゼンスディレクトリにより特定される情報をプレゼンス情報記憶部１５を検索して取得するプレゼンス情報取得部１８とを備える。
【００３５】
記憶部１１は、前記した実施例１と同様の社員情報を保持しており、具体的には、役職や所属などが示された詳細情報、社内の内線番号を示す電話番号情報および電子メールアドレス情報などの各情報を、その種別毎に体系化して保持している。ところで、体系化して管理するために階層構造化が図られており、該階層構造化はディレクトリにより管理されている。
【００３６】
プレゼンス情報記憶部１５は、図７に示すように、記憶部１１で保持する情報に対応付けられた利用者（社員名）のネットワーク参加状態を示すプレゼンス情報を保持しており、ネットワーク参加状態としては、例えば、オンライン中、オフライン中、退席中、一時退席中などである。ところで、ネットワーク参加状態はネットワークに接続する利用者の端末で設定され、その設定内容がプレゼンス情報記憶部１５に通知され、該プレゼンス情報記憶部１５で保持される。
【００３７】
プレゼンス情報記憶部１５は、プレゼンス情報を体系化して保持しており、体系化して管理するために階層構造化が図られており、該階層構造化はプレゼンスディレクトリにより管理されている。
【００３８】
管理テーブル管理部１６は、管理テーブルを生成する管理テーブル生成部１６０と、管理テーブルを保持する管理テーブル保持部１６１とを備えている。
管理テーブル生成部１６０は、図８に示されているように、プレゼンスディレクトリと、各種別を特定するための各ディレクトリを、それぞれ互いに対応付けた管理テーブルを生成する。
【００３９】
管理テーブル生成部１６０は、具体的には、プレゼンスディレクトリに詳細情報のディレクトリに電話番号情報のディレクトリおよび電子メールアドレスのディレクトリを対応付けたテーブルを管理テーブルとして生成し、生成した管理テーブルを管理テーブル保持部１６１に保持させる。
【００４０】
被検索プレゼンスディレクトリ取得部１７は、指定された検索ディレクトリに基づいて管理テーブル保持部１６１で保持する管理テーブルを参照して、検索ディレクトリに対応付けられているプレゼンスディレクトリを被検索プレゼンスディレクトリとして取得する。
【００４１】
プレゼンス情報取得部１８は、被検索プレゼンスディレクトリ取得部１７で取得した被検索プレゼンスディレクトリにより管理されるプレゼンス情報をプレゼンス情報記憶部１５から取得する。
【００４２】
次に、本実施例の情報管理装置２０の動作を図９のフローチャートに沿って説明する。
尚、記憶部１１は図２に示すように、種別毎に複数の情報を階層構造化して予め保持しており、プレゼンス情報記憶部１５は図７に示すプレゼンス情報を予め保持していることを前提に説明を行う。
【００４３】
管理テーブル管理部１６の管理テーブル生成部１６０は、ＯＳにより管理されているプレゼンスディレクトリと各ディレクトリとを、それぞれ互いに対応付けた図８に示す管理テーブルを生成し（ステップＳ１１）、管理テーブル保持部１６１で保持する。
【００４４】
被検索プレゼンスディレクトリ取得部１７は、オペレータやＯＳ上で動作する図示しないアプリケーションなどから検索ディレクトリを受けると、該検索ディレクトリに基づいて管理テーブル保持部１６１で保持する管理テーブルを参照し、検索ディレクトリに対応付けられているプレゼンスディレクトリを被検索プレゼンスディレクトリとして取得する（ステップＳ１２）。
【００４５】
プレゼンス情報取得部１８は、被検索プレゼンスディレクトリ取得部１７で取得した被検索プレゼンスディレクトリに基づいてプレゼンス情報記憶部１５からプレゼンス情報の管理位置を特定してプレゼンス情報を取得する（ステップＳ１３）。
【００４６】
前記したように、実施例２の情報管理装置２０によれば、プレゼンス情報記憶部１５のプレゼンス情報を管理するためのプレゼンスディレクトリに、記憶部１１で種別に応じて情報を管理するための各ディレクトリを、それぞれ互いに対応付けた管理テーブルを生成して管理することにより、検索ディレクトリに基づいて管理テーブルを参照し、該当する被検索プレゼンスディレクトリを直接的に取得することができ、取得した被検索プレゼンスディレクトリに基づいてプレゼンス情報記憶部１５で保持するプレゼンス情報を取得することができる。
【産業上の利用可能性】
【００４７】
前記した実施例２の情報管理装置２０では、検索用ディレクトリに基づいて管理テーブルを参照し、検索用ディレクトリに対応付けられているプレゼンスディレクトリを被検索プレゼンスディレクトリとして取得する例で説明したが、これに限る必要は無く、プレゼンスディレクトリを検索用として、当該検索用プレゼンスディレクトリに基づいて管理テーブルを参照し、該プレゼンスディレクトリに対応付けられているディレクトリを被検索ディレクトリとして取得するようにしてもよい。その場合、アプリケーションやオペレータから情報種別の指定を受けることで、取得した被検索ディレクトリに基づいて記憶部１１から情報を取得するとき、指定された種別の情報を取得することができる。
【図面の簡単な説明】
【００４８】
【図１】実施例１の情報管理装置のブロック図である。
【図２】記憶部における情報の階層構造化を示す図である。
【図３】階層構造化の系統を示すパスの説明図である。
【図４】実施例１の管理テーブルを示す図である。
【図５】実施例１の情報管理装置の動作を示すフローチャートである。
【図６】実施例２の情報管理装置のブロック図である。
【図７】プレゼンス情報記憶部において階層構造化されたプレゼンス情報を示す図である。
【図８】実施例２の管理テーブルを示す図である。
【図９】実施例２の情報管理装置の動作を示すフローチャートである。
【符号の説明】
【００４９】
１０、２０  情報管理装置
１１  記憶部
１２、１６  管理テーブル管理部
１３  被検索ディレクトリ取得部
１４  情報取得部
１５  プレゼンス情報記憶部
１７  被検索プレゼンスディレクトリ取得部
１８  プレゼンス情報取得部
１２０、１６０  管理テーブル生成部
１２１、１６１  管理テーブル保持部
【図１】
2007025872.tif 000003
【図２】
2007025872.tif 000004
【図３】
2007025872.tif 000005
【図４】
2007025872.tif 000006
【図５】
2007025872.tif 000007
【図６】
2007025872.tif 000008
【図７】
2007025872.tif 000009
【図８】
2007025872.tif 000010
【図９】
2007025872.tif 000011